(57)【要約】【課題】混信を抑制しつつ、異常を迅速に通知する。【解決手段】火災感知システムは、火災受信機１に接続される複数の中継器２と、中継器２に接続され、火災を感知する１以上の感知器４とを備える。複数の中継器２のそれぞれには、それぞれ異なる時刻に到来する複数の第１タイミングが割り当てられている。複数の中継器２のそれぞれは、自身に対応する１つの第１タイミングで、感知器４に、信号線の断線又は感知器４の脱落を示す異常が発生しているか否かを判定するために用いられる第１応答信号を中継器２に送信することを要求する監視信号を送信する。感知器４は、中継器２から監視信号を受信すると、当該中継器２に対応する第１タイミングが新たに到来する前の第２タイミングで第１応答信号を当該中継器２に送信する。【選択図】図１
2020086570.tif 000002
【特許請求の範囲】
【請求項１】
防火管理者に火災の発生を通知する火災受信機に接続される複数の中継器と、前記中継器に接続され、火災を感知する１以上の感知器とを備える火災感知システムであって、
前記複数の中継器のそれぞれには、信号の送信タイミングとして、前記複数の中継器のそれぞれで異なる時刻に到来する第１タイミングが割り当てられているとともに、信号の受信タイミングとして、前記複数の中継器のそれぞれで異なる時刻に到来し、前記第１タイミングよりも後に到来する第２タイミングが割り当てられており、
前記複数の中継器のそれぞれは、
１つの前記第１タイミングで、前記中継器に接続されている前記１以上の感知器に、前記感知器が接続されている信号線の断線又は前記感知器の脱落を示す異常が発生しているか否かを判定するために用いられる第１応答信号を送信することを要求する監視信号を送信する要求部と、
前記監視信号の送信に対する前記１以上の感知器からの前記第１応答信号の受信状況に基づいて、前記異常が発生しているか否かを判定し、判定結果を前記火災受信機に通知する通知部と、
を有し、
前記感知器は、
前記中継器から前記監視信号を受信すると、当該中継器に対応する前記第１タイミングが新たに到来する前の前記第２タイミングで前記第１応答信号を当該中継器に送信する応答部を有する、
火災感知システム。
【請求項２】
前記複数の中継器のそれぞれには、信号の送信タイミングとして、前記複数の中継器のそれぞれで同じ時刻に到来する複数の第３タイミングが割り当てられているとともに、信号の受信タイミングとして、前記複数の中継器のそれぞれで同じ時刻に到来し、前記第３タイミングよりも後に到来する第４タイミングが割り当てられており、
前記要求部は、１つの前記第３タイミングで、前記中継器に接続されている前記１以上の感知器に、試験用の制御信号を送信し、
前記応答部は、前記中継器から前記試験用の制御信号を受信すると、前記第３タイミングが新たに到来する前の前記第４タイミングで前記試験用の制御信号に対応する第２応答信号を前記中継器に送信し、
前記通知部は、前記監視信号の送信に対する前記１以上の感知器からの前記第２応答信号の受信状況に基づいて、前記感知器が正常に動作しているか否かを判定し、判定結果を前記火災受信機に通知する、
請求項１に記載の火災感知システム。
【請求項３】
前記複数の中継器のそれぞれには、信号の送信タイミングとして、前記複数の中継器のそれぞれで同じ時刻に到来する複数の第５タイミングが割り当てられているとともに、信号の受信タイミングとして、前記複数の中継器のそれぞれで同じ時刻に到来し、前記第５タイミングよりも後に到来する第６タイミングが割り当てられており、
前記要求部は、１つの前記第５タイミングで、前記中継器に接続されている前記１以上の感知器に、前記感知器が火災を感知している場合に第３応答信号を送信することを要求する取得要求信号を送信し、
前記応答部は、火災を感知している場合に前記中継器から前記取得要求信号を受信すると、前記第５タイミングが新たに到来する前の前記第６タイミングで前記第３応答信号を当該中継器に送信し、
前記通知部は、前記取得要求信号の送信に対する前記１以上の感知器からの前記第３応答信号の受信状況に基づいて火災を感知した感知器を特定し、当該感知器の位置に対応する情報を前記火災受信機に通知する、
請求項１又は２に記載の火災感知システム。
【請求項４】
前記通知部は、前記１以上の感知器において同一の前記第６タイミングで送信された前記第３応答信号が混信したことにより火災を感知した感知器を特定できない場合に、前記中継器に接続されている前記１以上の感知器の少なくともいずれかにおいて火災を感知したことを前記火災受信機に通知する、
請求項３に記載の火災感知システム。
【請求項５】
前記複数の中継器のそれぞれには、信号の送信タイミングとして、前記複数の中継器のそれぞれで同じ時刻に到来する複数の第５タイミングが割り当てられているとともに、信号の受信タイミングとして、前記複数の中継器のそれぞれで同じ時刻に到来し、前記第５タイミングよりも後に到来する第６タイミングが割り当てられており、
前記要求部は、１つの前記第５タイミングで、前記中継器に接続されている前記１以上の感知器に、前記感知器が火災を感知している場合に第３応答信号を送信することを要求する取得要求信号を送信し、
前記応答部は、火災を感知している場合に前記中継器から前記取得要求信号を受信すると、前記感知器のアドレスに対応する前記第６タイミングで前記第３応答信号を当該中継器に送信し、
前記通知部は、前記取得要求信号の送信に対する前記１以上の感知器からの前記第３応答信号の受信状況に基づいて火災を感知した感知器を特定し、当該感知器の位置に対応する情報を前記火災受信機に通知する、
請求項１又は２に記載の火災感知システム。
【発明の詳細な説明】
【技術分野】
【０００１】
本発明は、火災感知システムに関する。
【背景技術】
【０００２】
従来、Ｒ型の火災受信機を備える火災感知システムにおいて、Ｒ型の火災感知器よりも安価なＰ型の火災感知器を接続できる構成が知られている（例えば、特許文献１参照）。図６は、Ｒ型の火災受信機を備える火災感知システムにＰ型の火災感知器を接続した例を示す図である。図６に示すように、火災受信機１０１には、複数の中継器１０２が接続されている。複数の中継器１０２のそれぞれには、デイジーチェーン接続された複数のＰ型の火災感知器１０４が接続されている。
【先行技術文献】
【特許文献】
【０００３】
【特許文献１】特許第４６８３４７４号公報
【発明の概要】
【発明が解決しようとする課題】
【０００４】
Ｒ型の自動火災報知設備において火災受信機に複数の中継器が接続されている場合、複数の中継器は、中継器盤に収容される。この場合、複数の中継器のそれぞれとＰ型の火災感知器との通信線が近接する箇所が発生し、当該箇所において混信が発生しやすいという問題がある。
【０００５】
また、自動火災報知設備では、実火災が発生した場合に確実に感知器から火災発報信号を受信できるように、火災感知器と信号を送受信するための信号線の断線及び感知器の脱落を示す異常が発生しているかの監視が行われている。これらの異常が発生したことについても迅速に特定できるようにすることが求められている。
【０００６】
そこで、本発明はこれらの点に鑑みてなされたものであり、混信を抑制しつつ、異常の発生を迅速に通知することができる火災感知システムを提供することを目的とする。
【課題を解決するための手段】
【０００７】
本発明に係る火災感知システムは、防火管理者に火災の発生を通知する火災受信機に接続される複数の中継器と、前記中継器に接続され、火災を感知する１以上の感知器とを備える火災感知システムであって、前記複数の中継器のそれぞれには、信号の送信タイミングとして、前記複数の中継器のそれぞれで異なる時刻に到来する第１タイミングが割り当てられているとともに、信号の受信タイミングとして、前記複数の中継器のそれぞれで異なる時刻に到来し、前記第１タイミングよりも後に到来する第２タイミングが割り当てられており、前記複数の中継器のそれぞれは、１つの前記第１タイミングで、前記中継器に接続されている前記１以上の感知器に、前記感知器が接続されている信号線の断線又は前記感知器の脱落を示す異常が発生しているか否かを判定するために用いられる第１応答信号を送信することを要求する監視信号を送信する要求部と、前記監視信号の送信に対する前記１以上の感知器からの前記第１応答信号の受信状況に基づいて、前記異常が発生しているか否かを判定し、判定結果を前記火災受信機に通知する通知部と、を有し、前記感知器は、前記中継器から前記監視信号を受信すると、当該中継器に対応する前記第１タイミングが新たに到来する前の前記第２タイミングで前記第１応答信号を当該中継器に送信する応答部を有する。
【０００８】
前記複数の中継器のそれぞれには、信号の送信タイミングとして、前記複数の中継器のそれぞれで同じ時刻に到来する複数の第３タイミングが割り当てられているとともに、信号の受信タイミングとして、前記複数の中継器のそれぞれで同じ時刻に到来し、前記第３タイミングよりも後に到来する第４タイミングが割り当てられており、前記要求部は、１つの前記第３タイミングで、前記中継器に接続されている前記１以上の感知器に、試験用の制御信号を送信し、前記応答部は、前記中継器から前記試験用の制御信号を受信すると、前記第３タイミングが新たに到来する前の前記第４タイミングで前記試験用の制御信号に対応する第２応答信号を前記中継器に送信し、前記通知部は、前記監視信号の送信に対する前記１以上の感知器からの前記第２応答信号の受信状況に基づいて、前記感知器が正常に動作しているか否かを判定し、判定結果を前記火災受信機に通知してもよい。
【０００９】
前記複数の中継器のそれぞれには、信号の送信タイミングとして、前記複数の中継器のそれぞれで同じ時刻に到来する複数の第５タイミングが割り当てられているとともに、信号の受信タイミングとして、前記複数の中継器のそれぞれで同じ時刻に到来し、前記第５タイミングよりも後に到来する第６タイミングが割り当てられており、前記要求部は、１つの前記第５タイミングで、前記中継器に接続されている前記１以上の感知器に、前記感知器が火災を感知している場合に第３応答信号を送信することを要求する取得要求信号を送信し、前記応答部は、火災を感知している場合に前記中継器から前記取得要求信号を受信すると、前記第５タイミングが新たに到来する前の前記第６タイミングで前記第３応答信号を当該中継器に送信し、前記通知部は、前記取得要求信号の送信に対する前記１以上の感知器からの前記第３応答信号の受信状況に基づいて火災を感知した感知器を特定し、当該感知器の位置に対応する情報を前記火災受信機に通知してもよい。
【００１０】
前記通知部は、前記１以上の感知器において同一の前記第６タイミングで送信された前記第３応答信号が混信したことにより火災を感知した感知器を特定できない場合に、前記中継器に接続されている前記１以上の感知器の少なくともいずれかにおいて火災を感知したことを前記火災受信機に通知してもよい。
【００１１】
前記複数の中継器のそれぞれには、信号の送信タイミングとして、前記複数の中継器のそれぞれで同じ時刻に到来する複数の第５タイミングが割り当てられているとともに、信号の受信タイミングとして、前記複数の中継器のそれぞれで同じ時刻に到来し、前記第５タイミングよりも後に到来する第６タイミングが割り当てられており、前記要求部は、１つの前記第５タイミングで、前記中継器に接続されている前記１以上の感知器に、前記感知器が火災を感知している場合に第３応答信号を送信することを要求する取得要求信号を送信し、前記応答部は、火災を感知している場合に前記中継器から前記取得要求信号を受信すると、前記感知器のアドレスに対応する前記第６タイミングで前記第３応答信号を当該中継器に送信し、前記通知部は、前記取得要求信号の送信に対する前記１以上の感知器からの前記第３応答信号の受信状況に基づいて火災を感知した感知器を特定し、当該感知器の位置に対応する情報を前記火災受信機に通知してもよい。
【発明の効果】
【００１２】
本発明によれば、混信を抑制しつつ、異常の発生を迅速に通知することができるという効果を奏する。
【図面の簡単な説明】
【００１３】
【図１】本実施形態に係る火災感知システムの構成を示す図である。
【図２】本実施形態に係る中継器の構成を示す図である。
【図３】本実施形態に係る感知器の構成を示す図である。
【図４】本実施形態に係る中継器及び感知器に割り当てられている通信タイミングを説明するための図である。
【図５】火災感知システムにおける火災感知時の処理の流れを示すシーケンス図である。
【図６】Ｒ型の火災受信機を備える火災感知システムにＰ型の火災感知器を接続した例を示す図である。
【発明を実施するための形態】
【００１４】
［火災感知システムＳの概要］
図１は、本実施形態に係る火災感知システムＳの構成を示す図である。火災感知システムＳは、火災受信機１と、複数の中継器２と、１以上の感知器４とを備える。
【００１５】
火災受信機１は、伝送線Ｌ１を介して複数の中継器２と接続されている。火災受信機１は、中継器２を介して１以上の感知器４の少なくともいずれかにおいて火災を感知したことを特定すると、防火管理者に火災の発生を通知する。
【００１６】
複数の中継器２は、例えば中継器盤３に収容されている。複数の中継器２のそれぞれは、伝送線Ｌ１を介して火災受信機１と接続されているとともに、感知器回線Ｌ２を介して、デイジーチェーン接続された１以上の感知器４が接続されている。
【００１７】
１以上の感知器４は、Ｐ型の火災感知器（オンオフ型の火災感知器）であり、予め感知器４を識別するアドレスが割り当てられている。１以上の感知器４は、火災を感知すると、中継器２を介して火災を感知したことを示す火災感知情報と、感知器４のアドレスとを含む応答信号を火災受信機１に通知する。また、１以上の感知器４は、中継器２から監視信号を受信すると、監視信号に対する応答信号を中継器２に送信する。
【００１８】
複数の中継器２は、中継器盤３に収容されていることから、感知器回線Ｌ２が近接する箇所が発生し、当該箇所において混信が発生しやすくなるという問題が発生する。これに対し、本実施形態に係る火災感知システムＳでは、複数の中継器２のそれぞれに、信号の送信タイミングとして異なる時刻に到来する複数の第１タイミングが割り当てられているとともに、信号の受信タイミングとして異なる時刻に到来する複数の第２タイミングが割り当てられている。複数の中継器２のそれぞれは、当該中継器２に対応する１つの第１タイミングで、感知器４に監視信号を送信する。
【００１９】
感知器４は、中継器２から監視信号を受信すると、感知器４が接続されている中継器２に割り当てられている第１タイミングが新たに到来する前の第２タイミングで監視信号に対する応答信号を当該中継器２に送信する。このようにすることで、火災感知システムＳは、監視信号に対する応答信号が混信することを抑制しつつ、異常の発生を迅速に通知することができる。
続いて、火災感知システムＳが備える中継器２及び感知器４の構成について説明する。
【００２０】
［中継器２の構成］
まず、中継器２の構成について説明する。図２は、本実施形態に係る中継器２の構成を示す図である。中継器２は、第１通信部２１と、第２通信部２２と、記憶部２３と、制御部２４とを備える。
【００２１】
第１通信部２１は、伝送線Ｌ１を介して火災受信機１と通信を行う通信インターフェースである。
第２通信部２２は、感知器回線Ｌ２を介して１以上の感知器４と通信を行う通信インターフェースである。
記憶部２３は、ＲＯＭ（Read Only Memory）、ＲＡＭ（Random Access Memory）等の記憶媒体を含む。記憶部２３は、制御部２４が実行するプログラムを記憶する。
【００２２】
制御部２４は、例えばＣＰＵ（Central Processing Unit）である。制御部２４は、記憶部２３に記憶されたプログラムを実行することにより、同期部２４１、状態変更部２４２、要求部２４３、及び通知部２４４として機能する。状態変更部２４２、要求部２４３、及び通知部２４４の機能の詳細については後述する。
【００２３】
［感知器４の構成］
続いて、感知器４の構成について説明する。図３は、本実施形態に係る感知器４の構成を示す図である。感知器４は、通信部４１と、感知部４２と、記憶部４３と、制御部４４とを備える。
【００２４】
通信部４１は、感知器回線Ｌ２を介して中継器２と通信を行う通信インターフェースである。感知部４２は、火災の発生を感知する。
【００２５】
記憶部４３は、ＲＯＭやＲＡＭ等の記憶媒体を含む。記憶部４３は、アドレス設定器（不図示）により設定される感知器４のアドレスを記憶する。また、記憶部４３は、感知器４が中継器２と通信を行うタイミングを規定する設定情報を記憶する。
制御部４４は、例えば制御回路であり、発報部４４１及び応答部４４２として機能する。発報部４４１及び応答部４４２の機能の詳細については後述する。
【００２６】
［中継器２の同期］
本実施形態において、中継器２は、火災の感知、感知器回線Ｌ２の断線及び感知器４の脱落の監視、及び感知器４が正常に動作するか否かの試験を行うために、各種コマンドを感知器４に送信し、感知器４から当該コマンドに対応する応答信号を受信する。
【００２７】
まず、複数の中継器２において同期を行う処理について説明する。火災受信機１は、複数の中継器２に定期的に同期信号を送信する。例えば、火災受信機１は、自身に接続されている中継器２の台数に基づく周期で、複数の中継器２に同期信号を送信する。
【００２８】
複数の中継器２の同期部２４１は、火災受信機１から同期信号を受信すると、自身に割り当てられているアドレスに基づいて、同期信号を受信した時間を基準とした、各種信号の送信タイミング（例えば、第１タイミングの送信タイミング）の到来時期を特定する。これにより、火災感知システムＳは、複数の中継器２のそれぞれにおいて、監視信号を送信する第１タイミングを異なるタイミングとすることができる。
【００２９】
［各コマンドに対応する通信タイミング］
続いて、各種コマンドの送信タイミング及び応答信号の受信タイミングについて説明する。図４は、本実施形態に係る中継器２及び感知器４に割り当てられている通信タイミングを説明するための図である。図４に示す例では、火災受信機１に３台の中継器２として、中継器２Ａ、２Ｂ、２Ｃが接続されており、火災受信機１には感知器４が接続されていないものとする。なお、図４には示していないが、同期信号は、タイムスロットＴ０よりも前に受信しているものとする。
【００３０】
中継器２Ａ、２Ｂ、２Ｃのそれぞれには、感知器回線Ｌ２の断線及び感知器４の脱落を監視するための監視コマンドを送信するための通信タイミングとして、複数の中継器２のそれぞれで異なる時刻に到来する第１タイミングが割り当てられている。また、中継器２Ａ、２Ｂ、２Ｃのそれぞれには、監視コマンドに対応する応答信号である第１応答信号を受信するための通信タイミングとして、複数の中継器２のそれぞれで異なる時刻に到来し、第１タイミングの後に到来する第２タイミングが割り当てられている。本実施形態において、第２タイミングは第１タイミングと連続しており、第１タイミングの直後に到来する。
【００３１】
図４に示す例において、中継器２Ａの第１タイミングは、タイムスロットＴ０、Ｔ１８であり、中継器２Ａの第２タイミングは、タイムスロットＴ１、Ｔ１９である。中継器２Ｂの第１タイミングは、タイムスロットＴ６であり、中継器２Ｂの第２タイミングは、タイムスロットＴ７である。中継器２Ｃの第１タイミングは、タイムスロットＴ１２であり、中継器２Ｃの第２タイミングは、タイムスロットＴ１３である。各タイムスロットの長さは同一であってもよく、異なっていてもよい。
【００３２】
中継器２Ａ、２Ｂ、２Ｃのそれぞれには、試験用の制御信号である試験用コマンドを送信するための通信タイミングとして、複数の中継器２のそれぞれで同じ時刻に到来する第３タイミングが割り当てられている。また、中継器２Ａ、２Ｂ、２Ｃのそれぞれには、試験用コマンドに対応する応答信号である第２応答信号を受信するための通信タイミングとして、複数の中継器２のそれぞれで同じ時刻に到来し、第３タイミングの後に到来する第４タイミングが割り当てられている。本実施形態において、第４タイミングは第３タイミングと連続しており、第３タイミングの直後に到来する。
【００３３】
図４に示す例において、第３タイミングは、タイムスロットＴ２、Ｔ８、Ｔ１４、Ｔ２０であり、第４タイミングは、タイムスロットＴ３、Ｔ９、Ｔ１５、Ｔ２１である。
【００３４】
また、中継器２Ａ、２Ｂ、２Ｃのそれぞれには、火災場所確認用の取得要求信号である火災場所確認コマンドを送信するための通信タイミングとして、複数の中継器２のそれぞれで同じ時刻に到来する第５タイミングが割り当てられている。また、中継器２Ａ、２Ｂ、２Ｃのそれぞれには、火災場所確認コマンドに対応する応答信号である第３応答信号を受信するための通信タイミングとして、複数の中継器２のそれぞれで同じ時刻に到来し、第５タイミングの後に到来する第６タイミングが割り当てられている。本実施形態において、第６タイミングは第５タイミングと連続しており、第５タイミングの直後に到来する。
【００３５】
火災場所確認用のコマンドと第３応答信号を受信するための通信タイミングは、監視コマンドとその応答信号を受信するための通信タイミングが到来する周期に比べて早い周期で到来する。図４に示す例において、第５タイミングは、タイムスロットＴ４、Ｔ１０、Ｔ１６、Ｔ２２であり、第６タイミングは、タイムスロットＴ５、Ｔ１１、Ｔ１７、Ｔ２３である。
【００３６】
［断線・脱落監視時の処理］
続いて、中継器２が備える状態変更部２４２、要求部２４３及び通知部２４４の機能と、感知器４が備える発報部４４１及び応答部４４２の機能とについて説明する。まず、感知器回線Ｌ２の断線及び感知器４の脱落の監視に係る機能について説明する。
【００３７】
中継器２の要求部２４３は、１つの第１タイミングで、感知器回線Ｌ２を介して中継器２に接続されている１以上の感知器４に監視コマンドを送信する。監視コマンドは、第１応答信号を送信することを要求する信号である。ここで、第１応答信号は、感知器４が接続されている感知器回線Ｌ２の断線又は感知器４の脱落を示す異常が発生しているか否かを判定するために用いられる。
【００３８】
感知器４の応答部４４２は、中継器２から監視コマンドを受信すると、当該中継器２に対応する第１タイミングが新たに到来する前の第２タイミングで、感知器４が監視信号を受信していることを示す第１応答信号として、オン信号を当該中継器２に送信する。具体的には、応答部４４２は、当該第２タイミングに対応するタイムスロット内において、感知器４に割り当てられているアドレスに対応する時刻に第１応答信号を中継器２に送信する。
【００３９】
図４に示す例において、中継器２Ａは、タイムスロットＴ０及びＴ１８において、中継器２Ａに接続されている１以上の感知器４に監視コマンドを送信する。中継器２Ａに接続されている１以上の感知器４のそれぞれは、中継器２Ａの第２タイミングに対応するタイムスロットＴ１及びＴ１９において、第１応答信号を中継器２Ａに送信する。
【００４０】
１以上の感知器４のそれぞれの応答部４４２は、感知器４のアドレスに基づいて、タイムスロットＴ１及びＴ１９のそれぞれにおいて、異なる時刻に第１応答信号を中継器２Ａに送信する。例えば、感知器４の台数が、３２台であり、タイムスロットＴ１、Ｔ１９の時間間隔が０．５秒であるものとする。この場合、タイムスロットＴ１、Ｔ１９は、時間間隔（０．５秒）を台数（３２台）で除算して得られる時間間隔（０．０１５６秒間隔）に区切られている。１以上の感知器４のそれぞれの応答部４４２は、タイムスロットＴ１、Ｔ１９において区切られている時間間隔のうち、感知器４のアドレスに対応する時間間隔に第１応答信号を中継器２Ａに送信する。
【００４１】
通知部２４４は、監視コマンドの送信に対する、１以上の感知器４のそれぞれからの第１応答信号の受信状況に基づいて、感知器回線Ｌ２の断線及び感知器４の脱落を示す異常が発生しているか否かを判定する。ここで、通知部２４４は、第１応答信号の受信状況に基づいて、感知器回線Ｌ２の断線位置及び感知器４の脱落箇所を特定してもよい。
【００４２】
火災受信機１は、定期的に、複数の中継器２のそれぞれに、中継器２の状態を確認するための状態確認信号を送信する。通知部２４４は、状態確認信号を火災受信機１から受信した場合に、異常が発生しているか否かの判定結果を火災受信機１に通知する。また、通知部２４４は、感知器回線Ｌ２の断線及び感知器４の脱落を感知していると判定すると、感知器回線Ｌ２の断線又は感知器４の脱落箇所を感知したことを示す感知情報を火災受信機１に通知する。これにより、火災受信機１は、当該アドレスに対応する感知器４が設置されている位置において断線が発生しているか、感知器４が脱落していることを防火管理者に通知することができる。
【００４３】
［試験火災時の処理］
続いて、試験火災時の処理について説明する。
まず、火災受信機１は、試験火災用の制御信号としての試験信号を複数の中継器２に送信する。また、試験信号には、試験を行う中継器２のアドレスが含まれている。
【００４４】
中継器２の要求部２４３は、自身のアドレスを含む火災受信機１から試験信号を受信すると、１つの第３タイミングで、試験用の制御信号である試験用コマンドを送信する。
【００４５】
感知器４の応答部４４２は、中継器２から試験用コマンドを受信する。応答部４４２は、試験用コマンドを受信すると、第２応答信号を中継器２に送信する。応答部４４２は、第３タイミングが新たに到来する前の第４タイミングで、第２応答信号を中継器２に送信する。具体的には、応答部４４２は、当該第４タイミングに対応するタイムスロット内において、感知器４に割り当てられているアドレスに対応する時刻に第２応答信号を中継器２に送信する。
【００４６】
図４に示す例において、中継器２Ａは、タイムスロットＴ２、Ｔ８、Ｔ１４及びＴ２０において、中継器２Ａに接続されている１以上の感知器４に試験用コマンドを送信する。中継器２Ａに接続されている１以上の感知器４は、第４タイミングに対応するタイムスロットＴ３、Ｔ９、Ｔ１５及びＴ２１において、第２応答信号を中継器２Ａに送信する。１以上の感知器４のそれぞれの応答部４４２は、感知器４のアドレスに基づいて、第４タイミングに対応するタイムスロットＴ３、Ｔ９、Ｔ１５及びＴ２１のそれぞれにおいて、異なる時刻に第２応答信号を中継器２Ａに送信する。
【００４７】
火災受信機１は、定期的に、複数の中継器２のそれぞれに、中継器２の状態を確認するための状態確認信号を送信する。通知部２４４は、１以上の感知器４から、同一のタイムスロット（例えばタイムスロットＴ３、Ｔ９、Ｔ１５及びＴ２１）において異なる時刻に送信される第２応答信号の受信状況に基づいて、１以上の感知器４のそれぞれが正常に動作しているか否かを判定し、判定結果を火災受信機１に通知する。例えば、通知部２４４は、状態確認信号を火災受信機１から受信すると、正常に動作していない感知器４のアドレスを示す情報を火災受信機１に通知する。これにより、火災受信機１は、感知器４が正常に動作しているか否かを防火管理者に通知することができる。
【００４８】
［火災感知時の処理］
続いて、火災感知時の処理について説明する。図５は、火災感知システムＳにおける火災感知時の処理の流れを示すシーケンス図である。
感知器４の発報部４４１は、感知部４２が火災の発生を感知すると、中継器２に火災を感知したことを示す火災感知信号としてのオン信号を送信する（Ｓ１１）。
【００４９】
中継器２の記憶部２３は、火災を感知しているか否かを示す保有値を記憶している。例えば、火災を感知していない場合、保有値の値は「０ｘ００」であり、火災を感知している場合、保有値の値は「０ｘＦＦ」である。中継器２の状態変更部２４２は、感知器４から火災発報信号を受信すると、記憶部２３に記憶されている保有値の値を、「０ｘ００」から「０ｘＦＦ」に変更する（Ｓ１２）。
【００５０】
中継器２の要求部２４３は、記憶部２３に記憶されている保有値の値が「０ｘＦＦ」に変更されると、１つの第５タイミングで、当該中継器２に接続されている１以上の感知器４に、取得要求信号としての火災場所確認コマンドを送信する（Ｓ１３−１、Ｓ１３−２）。火災場所確認コマンドは、感知器４が火災を感知している場合に第３応答信号を送信することを要求する信号である。本実施形態において、要求部２４３は、同一の感知器４から第３応答信号を２回受信するか、火災場所確認コマンドを所定回数送信するまで、第５タイミングで火災場所確認コマンドを繰り返し送信する。
【００５１】
感知器４の応答部４４２は、感知部４２が火災を感知している場合に中継器２から火災場所確認コマンドを受信すると、第５タイミングが新たに到来する前の第６タイミングで第３応答信号を当該中継器２に送信する（Ｓ１４−１、Ｓ１４−２）。
【００５２】
図４に示す例において、タイムスロットＴ７において、状態変更部２４２により保有値の値が「０ｘＦＦ」に変更されたとする。この場合、中継器２Ａの要求部２４３は、最も早く到来する第５タイミングであるタイムスロットＴ１０において、当該中継器２Ａに接続されている１以上の感知器４に火災場所確認コマンドを送信する。中継器２Ａに接続されている１以上の感知器４のそれぞれのうち、火災の発生を感知している感知器４は、第５タイミングが新たに到来するタイムスロットＴ１６よりも前の第６タイミングであるタイムスロットＴ１１に、第３応答信号を中継器２Ａに送信する。具体的には、火災の発生を感知している感知器４の応答部４４２は、当該第６タイミングに対応するタイムスロットＴ１１内において、感知器４に割り当てられているアドレスに対応する時刻に第３応答信号を中継器２に送信する。
【００５３】
また、中継器２Ａの要求部２４３は、新たに到来する第５タイミングであるタイムスロットＴ１６において、当該中継器２Ａに接続されている１以上の感知器４に火災場所確認コマンドを送信する。中継器２Ａに接続されている１以上の感知器４のそれぞれのうち、火災の発生を感知している感知器４は、第５タイミングが新たに到来するタイムスロットＴ２２よりも前の第６タイミングであるタイムスロットＴ１７に、第３応答信号を中継器２Ａに送信する。
【００５４】
第５タイミング及び第６タイミングが到来する周期は、第１タイミング〜第４タイミングが到来する周期よりも短いことから、中継器２は、火災が発生した場所を、他の異常が発生した場所に比べて迅速に特定することができる。また、第５タイミング及び第６タイミングは、複数の中継器２において共有されるものの、複数の中継器２において同時に火災場所確認コマンドを送信することが殆ど発生しないことから、極めて高い確率で混信することなく火災場所確認コマンドを送信することができる。
【００５５】
なお、応答部４４２は、第５タイミングが新たに到来するよりも前の第６タイミングで第３応答信号を中継器２に送信することとしたが、これに限らない。応答部４４２は、火災を感知している場合に、中継器２から火災場所確認コマンドを受信すると、感知器４に割り当てられているアドレスに対応する第６タイミングで第３応答信号を当該中継器２に送信してもよい。
【００５６】
この場合、要求部２４３は、第５タイミングが到来するよりも長い間隔で火災場所確認コマンドを送信する。図４に示す例では、要求部２４３は、タイムスロットＴ１０、Ｔ２２において火災場所確認コマンドを送信する。
【００５７】
応答部４４２は、例えば、感知器４のアドレスの末尾が奇数である場合、第５タイミングの直後に到来する第６タイミングに第３応答信号を中継器２に送信し、感知器４のアドレスの末尾が偶数である場合、新たに到来する第５タイミングの直後に到来する第６タイミングに第３応答信号を中継器２に送信する。図４に示す例では、アドレスの末尾が奇数の感知器４の応答部４４２は、タイムスロットＴ１１において第３応答信号を送信し、アドレスの末尾が偶数の感知器４の応答部４４２は、タイムスロットＴ１７において第３応答信号を送信する。このようにすることで、１以上の感知器４が同時に第３応答信号を送信し、混信してしまうことを抑制することができる。
【００５８】
通知部２４４は、火災場所確認コマンドの送信に対する１以上の感知器４からの第３応答信号の受信状況に基づいて火災を感知した感知器４を特定し、当該感知器４の位置に対応する火災場所情報を火災受信機１に通知する。具体的には、まず、通知部２４４は、同じ感知器４から連続して第３応答信号を受信すると、火災場所を、当該感知器４が設置されている位置と特定する（Ｓ１５）。通知部２４４は、当該第３応答信号に含まれる感知器４のアドレスを火災場所情報として記憶部２３に記憶させる。
【００５９】
通知部２４４は、火災受信機１から所定時間おきに、中継器２の状態を確認するための状態確認信号を受信する（Ｓ１−１、Ｓ１−２、Ｓ１−３）。通知部２４４は、状態確認信号を受信した場合に、記憶部２３に記憶されている保有値の値が、火災が発生していないことを示す「０ｘ００」であるときには、保有値を含む正常信号を火災受信機１に送信する（Ｓ２−１）。
【００６０】
通知部２４４は、状態確認信号を受信した場合に、保有値の値が、火災が発生していることを示す「０ｘＦＦ」であるとともに、記憶部２３に火災発生場所情報が記憶されていないとき、当該保有値と、火災が発生した場所を特定していないことを示す場所未特定情報とを含む火災感知信号を火災受信機１に送信する（Ｓ２−２、Ｓ２−３）。また、通知部２４４は、状態確認信号を受信した場合に、保有値の値が火災が発生していることを示す「０ｘＦＦ」であるとともに、記憶部２３に火災場所情報が記憶されているとき、保有値と、火災が発生した場所を特定していることを示す場所特定情報とを含む火災感知信号を火災受信機１に送信する（Ｓ２−４）。
【００６１】
火災受信機１は、保有値と、場所特定情報とを含む火災感知信号を中継器２から受信すると、火災場所の確認を示す拡張伝送信号である状態確認信号を当該中継器２に送信する（Ｓ３）。
【００６２】
通知部２４４は、拡張伝送信号としての状態確認信号を受信すると、記憶部２３に記憶されている火災場所情報を示す火災場所信号を火災受信機１に送信する（Ｓ４）。火災受信機１は、中継器２から火災場所信号を受信すると、当該火災場所信号に基づいて、例えば、火災発生場所を表示部（不図示）に表示することにより、火災発生場所を通知する（Ｓ５）。これにより、火災受信機１は、当該アドレスに対応する感知器４が設置されている位置において火災が発生したことを防火管理者に通知することができる。
【００６３】
なお、通知部２４４は、１以上の感知器４において、同一の第６タイミングで第３応答信号が送信され、当該第３応答信号が混信したことにより、火災を感知した感知器４に対応するアドレスを特定できない場合に、自身に接続されている１以上の感知器４の少なくともいずれかにおいて火災を感知したことを火災受信機１に通知してもよい。これにより、火災受信機１は、第３応答信号を受信した中継器２に接続されている１以上の感知器４のいずれかが設置されている位置において火災が発生したことを防火管理者に通知することができる。
【００６４】
［本実施形態における効果］
以上説明したように、本実施形態に係る火災感知システムＳでは、複数の中継器２のそれぞれに、信号の送信タイミングとして、複数の中継器２のそれぞれで異なる時刻に到来する第１タイミングが割り当てられているとともに、信号の受信タイミングとして、第１タイミングよりも後に到来する第２タイミングが割り当てられている。複数の中継器２のそれぞれは、自身に対応する１つの第１タイミングで、中継器２に接続されている感知器４に、第１応答信号を送信することを要求する監視コマンドを送信する。感知器４は、中継器２から監視コマンドを受信すると、当該中継器２に対応する第１タイミングが新たに到来する前の第２タイミングで第１応答信号を当該中継器２に送信する。このようにすることで、火災感知システムＳは、混信を抑制しつつ、異常の発生を迅速に防火管理者に通知することができる。
【００６５】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６６】
１  火災受信機
２  中継器
２１  第１通信部
２２  第２通信部
２３  記憶部
２４  制御部
２４１  同期部
２４２  状態変更部
２４３  要求部
２４４  通知部
３  中継器盤
４  感知器
４１  通信部
４２  感知部
４３  記憶部
４４  制御部
４４１  発報部
４４２  応答部
Ｓ  火災感知システム
【図１】
2020086570.tif 000003
【図２】
2020086570.tif 000004
【図３】
2020086570.tif 000005
【図４】
2020086570.tif 000006
【図５】
2020086570.tif 000007
【図６】
2020086570.tif 000008